(57)【要約】【課題】マスク着用の効果を著しく向上させることができると共に、環境に悪影響を与えることがなく廃棄できる光触媒酸化チタン含有マスク生地およびこのマスク生地を用いたマスクを提供する。【解決手段】光触媒酸化チタン１ｂが付着、固定されている光触媒紙１、光触媒不織布を巻いて紐体３を設け、この紐体３を多数本シート状に編んでマスク生地４を形成する。そして、このマスク生地４の両端に掛け紐５を付設することでマスク６を形成する。【選択図】          図４
2004353116.tif 000002
【特許請求の範囲】
【請求項１】
光触媒酸化チタンが付着、固定されている光触媒紙を巻いて紐体を設け、この紐体を多数本シート状に編んで形成してなることを特徴とする光触媒酸化チタン含有マスク生地。
【請求項２】
光触媒酸化チタンが付着、固定されている光触媒不織布を巻いて紐体を設け、この紐体を多数本シート状に編んで形成してなることを特徴とする光触媒酸化チタン含有マスク生地。
【請求項３】
光触媒酸化チタンが付着、固定されている光触媒紙、あるいは光触媒不織布を巻いて紐体を設け、この紐体を多数本シート状に編んでマスク生地を形成すると共に、該マスク生地の両端に掛け紐を付設してなることを特徴とする光触媒酸化チタン含有マスク。
【請求項４】
光触媒酸化チタンが付着、固定されている不織布にて形成してなることを特徴とする光触媒酸化チタン含有マスク生地。
【請求項５】
光触媒酸化チタンが付着、固定されている不織布にて形成されたマスク生地の両端に掛け紐を付設してなることを特徴とする光触媒酸化チタン含有マスク。
【発明の詳細な説明】
【０００１】
【発明の属する技術分野】
本発明は、光触媒酸化チタン含有マスク生地およびこのマスク生地を用いたマスクに関する。
【０００２】
【従来の技術】
従来のマスクは、合成繊維や植物繊維等からなるマスク生地を用い、これを一枚あるいは複数枚重ねると共に、両端に掛け紐を付設して形成される。マスク生地の一枚あるいは別体として、病原菌、塵芥、花粉等の有害物質の侵入を防止するフィルターや活性炭を用いたものもある。
【０００３】
【発明が解決しようとする課題】
しかしながら、従来のマスクは、外側から病原菌、塵芥、花粉等の有害物質の侵入を物理的に防止する機能を有するだけであるから、一部が漏れて内部に侵入することも多く、マスク着用の効果を十分に発揮するものではなかった。
【０００４】
また、活性炭を用いたマスクでも、有害物質を漏れなく吸着することは不充分である上に、使用済みのマスクを廃棄処分することで環境悪化を招くおそれがあった。
【０００５】
本発明は、上記した従来の技術が有する問題点を解消するもので、空気中の有害物質に強力に作用し、これを酸化、分解する光触媒酸化チタンを用いることで、マスク着用の効果を著しく向上させると共に、環境に悪影響を与えることの少ないマスク生地およびこのマスク生地を用いたマスクを提供することを目的とする。
【０００６】
【課題を解決するための手段】
上記目的を達成するために、本発明の請求項１では、光触媒酸化チタンが付着、固定されている光触媒紙を巻いて紐体を設け、この紐体を多数本シート状に編んで形成してなることを特徴とする。
【０００７】
本発明の請求項２では、光触媒酸化チタンが付着、固定されている光触媒不織布を巻いて紐体を設け、この紐体を多数本シート状に編んで形成してなることを特徴とする。
【０００８】
本発明の請求項３では、光触媒酸化チタンが付着、固定されている光触媒紙、あるいは光触媒不織布を巻いて紐体を設け、この紐体を多数本シート状に編んでマスク生地を形成すると共に、該マスク生地の両端に掛け紐を付設してなることを特徴とする。
【０００９】
本発明の請求項４では、光触媒酸化チタンが付着、固定されている不織布にて形成してなることを特徴とする。
【００１０】
本発明の請求項５では、光触媒酸化チタンが付着、固定されている不織布にて形成されたマスク生地の両端に掛け紐を付設してなることを特徴とする。
【００１１】
【発明の実施の形態】
以下、本発明の実施の形態について図面を参照して詳細に説明する。
図１は、乾式パルプに固定された光触媒酸化チタンの機能を示す説明図であり、図２は、光触媒紙を紐体に形成する工程の説明図であり、図３は、光触媒紙の紐体を編んで形成されるマスク生地の説明図であり、図４は、完成品のマスクを示す内面図であり、図５は、他例のマスクを示す拡大した縦断面図である。
【００１２】
図１および図２に示したように、乾式パルプ１ａの繊維表面に超微粒子の光触媒酸化チタン１ｂを付着、固定させて光触媒紙１を得、該光触媒紙１の長手方向に亘って平行、等間隔に多数の折り込み線２を形成したのち、これを短手方向へ紙縒り状に巻いて紐体３を形成する。１ｃは、光触媒酸化チタン１ｂに吸着された有害物質を示す。
【００１３】
そして、図３に示したように、前記紐体３…を多数本シート状に編んでマスク生地４を形成する。さらに、図４に示したように、マスク生地４の両端に掛け紐５を付設してマスク６を形成する。
【００１４】
前記光触媒紙１における紙の種類としては、和紙、洋紙、加工紙など、何れでもよい。また、前記光触媒酸化チタン１ｂとしても、紫外線反応型、可視光線応答型の何れの酸化チタンを用いることができる。
【００１５】
光触媒紙１の代りに、光触媒酸化チタン１ｂ含有の不織布（図示しない）を用いてマスク生地４を形成することができる。この場合、不織布をそのまま用いるのが良いが、光触媒紙１と同様、巻いて紐体３とし、これをシート状に編んでマスク生地４を形成することも不可能ではない。何れのマスク生地４でも、その両端に掛け紐５を付設することで不織布製のマスク６を形成することができる。
【００１６】
繊維表面に光触媒酸化チタン１ｂを付着、固定させる手段としては、既述の乾式パルプ１ａに直接固定させる乾式固着方式が好適である。その理由は、（１）バインダーが不要であること、（２）分散固着により光触媒効果が高いこと、（３）パルプ繊維の強度、耐久性に優れる等による。ただし、本発明は、これ以外の方法を排除するものではなく、例えば、液状の酸化チタンをエアガンにより吹き付ける、刷毛やローラで塗布する、酸化チタンの液槽内に浸漬する等によることも可能である。
【００１７】
さらに、図５に示したように、光触媒紙１を用いたマスク生地４のみで使用する場合は、これを通常のマスク７のポケット８に挿入するのがよい。しかし、通常のマスクの表・裏に当該マスク生地４を添着することによって使用することもできる。
【００１８】
【発明の効果】
本発明は、以上のとおり構成されるものであるから、次のような効果を奏するものである。
１．光触媒紙、光触媒不織布を紐体に形成し、この紐体をシート状に編むことにより形成されるマスク生地であるから、単位面積当り担持される触媒粒子の量が飛躍的に増加すると共に、有害物質の吸着面積が増大し、光触媒能を飛躍的に向上させることができる。
【００１９】
したがって、従来のマスクのように病原菌、塵芥、花粉等の有害物質を物理的に除去するものと比べて、光の照射による酸化分解反応による有害物質除去であるから、きわめて大きなマスク着用の効果が得られると共に、マスクを廃棄処分するときでも環境に悪影響を与えることが少ないものである。
【図面の簡単な説明】
【図１】乾式パルプに固定された光触媒酸化チタンの機能を示す説明図である。
【図２】光触媒紙を紐体に形成する工程の説明図である。
【図３】光触媒紙の紐体を編んで形成されるマスク生地の説明図である。
【図４】完成品のマスクを示す内面図である。
【図５】他例のマスクを示す拡大した縦断面図である。
【符号の説明】
１    光触媒紙
１ｂ  光触媒酸化チタン
３    紐体
４    マスク生地
５    掛け紐
６    マスク
【図１】
2004353116.tif 000003
【図２】
2004353116.tif 000004
【図３】
2004353116.tif 000005
【図４】
2004353116.tif 000006
【図５】
2004353116.tif 000007